(57)【要約】 【課題】ぬれた傘をあらゆる場所（例えば建物内、自家用車内、公共交通機関等の車両内）において周辺をぬらさず容易に収納できるポケットサイズの傘袋を提供しようとするものである。【解決手段】  防水素材にて、傘の柄の部分以外を全て収納できる、先端に向けて細く縫製した傘袋１の開口部内側４を、ポケットサイズで二つ折りのファスナー全開ミニポーチ５のファスナー６の内側に沿って縫い止まり２まで縫合する。縫合されている傘袋１を、同じく防水素材のミニポーチの中にしまい込み、ファスナーつまみ９をファスナー始点７からファスナー終点８方向へ動かせばミニポーチ５を閉じることができる。ファスナーつまみ９には、伸縮可能なゴム輪１０をつける。  【選択図】  図２
0003119980.tif 000002
【実用新案登録請求の範囲】
【請求項１】
防水素材にて、傘の柄の部分以外を全て収納できる、先端に向けて細く縫製した傘袋１の開口部内側４を、ポケットサイズで二つ折りのファスナー全開ミニポーチ５のファスナー６の内側に沿って縫い止まり２まで縫合する。
【請求項２】
縫合されている傘袋１を、同じく防水素材のミニポーチ５の中にしまい込み、ファスナーつまみ９をファスナー始点７からファスナー終点８方向へ動かせばミニポーチ５を閉じることができる。
【請求項３】
ファスナーつまみ９には、伸縮可能なゴム輪１０をつける。
【考案の詳細な説明】
【技術分野】
【０００１】
本考案は、雨の日のぬれた傘を容易に収納できる傘袋で、ミニポーチに内蔵されたポケットサイズの携帯できるものである。
【背景技術】
【０００２】
従来の傘袋は、長傘にはあまりなく、主に折りたたみ傘につけられていて、傘をきっちり収めるように縫製されていた。
【考案の開示】
【考案が解決しようとする課題】
【０００３】
背景技術で述べたように、従来の傘袋は、その容量に余裕がなく、あまり利用価値がないという問題点を有していた。  また、長傘となると、ほとんど、傘袋そのものがなかった。
【０００４】
本考案は、従来の傘袋の利用価値を見直し、ぬれた傘をあらゆる場所で容易に収納するという新しい利用価値を付けた傘袋を提供しようとするものである。
【課題を解決するための手段】
【０００５】
上記目的を達成するために、防水素材にて、傘の柄の部分以外を全て収納できる、先端に向けて細く縫製した傘袋１の開口部内側４を、ポケットサイズで二つ折りのファスナー全開ミニポーチ５のファスナー６の内側に沿って縫い止まり２まで縫合する。
【０００６】
縫合されている傘袋１を、同じく防水素材のミニポーチ５の中にしまい込み、ファスナーつまみ９をファスナー始点７からファスナー終点８方向へ動かせばミニポーチ５を閉じることができる。
【０００７】
ファスナーつまみ９には、伸縮可能なゴム輪１０をつける。
【考案の効果】
【０００８】
本考案は、上述のような形状なので、次に記載する効果を奏する。
【０００９】
建物内、自家用車内、公共交通機関等の車両内において、ぬれた傘で周囲をぬらすことがなくなる。また、軽くて小さいので邪魔にならない。
【考案を実施するための最良の形態】
【００１０】
本考案の実施の形態について図面を参照して説明する。
【００１１】
傘の柄の部分以外を全て収納できる、先端に向けて細く縫製した傘袋１の開口部は、ぬれた傘をゆったり収納できる広さがあるので入れやすい。傘を収納した後は、ファスナーを少し閉じると傘袋１がずり落ちることなく安定する。水滴は、傘袋の先端に溜まる。
【００１２】
また、傘の使用中は、傘袋１をミニポーチ５にしまい込みファスナーを閉じれば、図１のようになるのでポケットに入れたりあるいはゴム輪１０があることで手首に掛けたり使用中の傘の柄につけたりできるので邪魔にならない。
【００１３】
本考案の防水素材は、ポケットサイズにするため例えば傘生地のように薄くて軽くて破れにくいものを使用する。
【図面の簡単な説明】
【００１４】
【図１】傘袋を内蔵したミニポーチを閉じた状態の斜視図である。
【図２】傘袋をミニポーチから出し、傘を収納できる状態の斜視図である。
【符号の説明】
【００１５】
１  傘袋
２    縫い止まり
３    開口部  外側
４    開口部  内側
５  ミニポーチ
６    ファスナー
７    ファスナー始点
８    ファスナー終点
９    ファスナーつまみ
１０  ゴム輪
【図１】
0003119980.tif 000003
【図２】
0003119980.tif 000004
【手続補正書】
【提出日】平成18年1月16日(2006.1.16)
【手続補正１】
【補正対象書類名】実用新案登録請求の範囲
【補正対象項目名】全文
【補正方法】変更
【補正の内容】
【実用新案登録請求の範囲】
【請求項１】
防水素材にて、傘の柄の部分以外を全て収納できるように、先端に向けて細く縫製した傘袋１の開口部内側４を、ポケットサイズで二つ折りのファスナー全開ミニポーチ５のファスナー６の内側に沿って縫い止まり２まで一部分（２〜８〜２）縫合することにより、傘袋とミニポーチが一体化した構造を有する傘袋内蔵ミニポーチ。
【請求項２】
ファスナーつまみ９に伸縮可能なゴム輪１０をつけたことを特徴とする請求項１に記載の傘袋内蔵ミニポーチ。
【手続補正２】
【補正対象書類名】明細書
【補正対象項目名】０００４
【補正方法】変更
【補正の内容】
【０００４】本考案は、従来の傘袋の利用価値を見直し、ぬれた傘をあらゆる場所で周辺をぬらさず容易に収納するという新しい利用価値を付けた傘袋を提供しようとするものである。
【手続補正３】
【補正対象書類名】明細書
【補正対象項目名】０００５
【補正方法】変更
【補正の内容】
【０００５】  上記目的を達成するために、防水素材にて、傘の柄の部分以外を全て収納できるように、先端に向けて細く縫製した傘袋１の開口部内側４を、ポケットサイズ二つ折りのファスナー全開ミニポーチ５のファスナー６の内側に沿って縫い止まり２まで一部分（２〜８〜２）縫合することにより傘袋とミニポーチが一体化した構造を有する傘袋内蔵ミニポーチとなる。
【手続補正４】
【補正対象書類名】明細書
【補正対象項目名】００１１
【補正方法】変更
【補正の内容】
【００１１】傘の柄の部分以外を全て収納できるように、先端に向けて細く縫製した傘袋１の開口部は、ぬれた傘をゆったり収納できる広さがあるので入れやすい。傘を収納した後は、ファスナー６を少し閉じると傘袋１がずり落ちることなく安定する。水滴は、傘袋１の先端に溜まる
【手続補正５】
【補正対象書類名】明細書
【補正対象項目名】００１２
【補正方法】変更
【補正の内容】
【００１２】また、傘の使用中など傘袋が不要の場合は、傘袋１をミニポーチ５にしまい込みファスナー６を閉じれば、図１のようにコンパクトになるのでポケットに入れたりあるいはゴム輪１０があることで手首に掛けたり使用中の傘の柄につけたりできるので邪魔にならない。
【手続補正６】
【補正対象書類名】明細書
【補正対象項目名】００１５
【補正方法】変更
【補正の内容】
【００１５】１  傘袋２    縫い止まり３    開口部  外側４    開口部  内側５  ミニポーチ６    ファスナー７    ファスナー始点８    ファスナー終点９    ファスナーつまみ１０  ゴム輪１１  折り目（輪）
【手続補正７】
【補正対象書類名】図面
【補正対象項目名】図１
【補正方法】変更
【補正の内容】
【図１】
0003119980.tif 000005
【手続補正８】
【補正対象書類名】図面
【補正対象項目名】図２
【補正方法】追加
【補正の内容】
【図２】
0003119980.tif 000006